(57)【特許請求の範囲】
【請求項１】
細長の中央ベースの幅方向の両側に細長の副ベースをヒンジにより下方に向けて折曲自在に連結して、前記中央ベースには高さの低くい低針状突起を多数立設し、また、前記両側の副ベースには高さの高い高針状突起を多数立設としたことを特徴とする野鳥飛来防止装置。
【請求項２】
前記中央ベース、両側副ベース、針状突起を合成樹脂材により一体に成形して、前記ヒンジは前記中央ベースと両側副ベースの連結箇所を肉薄部により形成した請求項１に記載の野鳥飛来防止装置。
【請求項３】
前記両側の副ベースに多数立設した高針状突起の上方に枝状突起を設けた請求項１又は２に記載の野鳥飛来防止装置。
【請求項４】
前記両側の副ベースに多数立設した高針状突起の上方に糸挿通用の小孔を設けた請求項１又は２又は３に記載の野鳥飛来防止装置。
【請求項５】
前記中央ベースと両側副ベースの水平状態を保持させる保持部を備えた請求項１から請求項４の何れかの項に記載の野鳥飛来防止装置。
【請求項６】
前記中央ベースに多数立設した針状突起と前記両側副ベースに多数立設した針状突起を互い違いになるように配設して、前記中央ベースの各針状突起の両側から前記両側副ベースの幅方向の中央に亘る抜き孔部を形成して、さらに、前記中央ベースの各針状突起を立設した各箇所の下面を凹段状に形成した請求項１から請求項５の何れかの項に記載の野鳥飛来防止装置。
【請求項７】
前記中央ベース又は両側副ベースの長手方向両端に雄部、雌部として係合する連結部を設けるとともに、両側副ベースの幅側の外側端部に対称となるように雄部、雌部として係合する連結部を設けた請求項１から請求項６の何れかの項に記載の野鳥飛来防止装置。
【発明の詳細な説明】
【技術分野】
【０００１】
本発明は、野鳥特に鳩がベランダや軒下等に飛来して糞害等を防止するための野鳥飛来防止装置に関するものである。
【背景技術】
【０００２】
板状の基板に前後に数列に針状突起を多数立設した野鳥飛来防止装置が知られている（例えば、特許文献１，２参照）。これは、ベランダの手摺等の上に基板をもって取り付けて針状突起により鳩等の野鳥が手摺に止まれなくしてベランダ内への侵入を防止して糞害を防ぐものである。
【０００３】
ところが、前記のような従来の野鳥飛来防止装置は基板に前後に数列に針状突起を多数立設したものであることから、保管、運搬のため梱包する場合に針状突起により嵩張り、梱包、運搬に掛かるコストが高くなる問題がある。
【先行技術文献】
【特許文献】
【０００４】
【特許文献１】実開昭６４−４９０８０号公報
【特許文献２】実開平３−１１２２７７号公報
【発明の概要】
【発明が解決しようとする課題】
【０００５】
本発明は前記したような問題を解決して、高い針状突起を多数立設した野鳥飛来防止装置であっても、嵩張ることなく梱包、運搬できる野鳥飛来防止装置を提供するものである。
【課題を解決するための手段】
【０００６】
前記した課題を解決した本発明の野鳥飛来防止装置は、細長の中央ベースの幅方向の両側に細長の副ベースをヒンジにより下方に向けて折曲自在に連結して、前記中央ベースには高さの低くい低針状突起を多数立設し、また、前記両側の副ベースには高さの高い高針状突起を多数立設としたことを特徴とする。
【０００７】
そして、前記の発明において、前記中央ベース、両側副ベース、針状突起を合成樹脂材により一体に成形して、前記ヒンジは前記中央ベースと両側副ベースの連結箇所を肉薄部により形成することが好ましい。
【０００８】
また、前記両側の副ベースに多数立設した高針状突起の上方に枝状突起を設けてもよい。また、前記両側の副ベースに多数立設した高針状突起の上方に糸挿通用の小孔を設けてもよいものである。
【０００９】
また、前記中央ベースと両側副ベースの水平状態を保持させる保持部を備えたものがより好ましいものである。
【００１０】
また、前記中央ベースに多数立設した針状突起と前記両側副ベースに多数立設した針状突起を互い違いになるように配設して、前記中央ベースの各針状突起の両側から前記両側副ベースの幅方向の中央に亘る抜き孔部を形成して、さらに、前記中央ベースの各針状突起を立設した各箇所の下面を凹段状に形成してもよいものである。
【００１１】
さらに、前記中央ベース又は両側副ベースの長手方向両端に雄部、雌部として係合する連結部を設けるとともに、両側副ベースの幅側の外側端部に対称となるように雄部、雌部として係合する連結部を設けることが好ましいものである。
【発明の効果】
【００１２】
前記のような本発明に係る野鳥飛来防止装置は、細長の中央ベースと両側の副ベースの下面とをベランダの手摺等の上に支持させて取付金具、取付バンド或いは粘着テープ等で固定して取り付けるものである。そうすれば、前記中央ベースには低針状突起が前記両側の副ベースには高針状突起がそれぞれ多数立設されているので、野鳥は前記低針状突起及び高針状突起により手摺に止まることができずベランダ内に侵入することが無いものである。
【００１３】
また、本発明は細長の中央ベースの幅方向の両側に細長の副ベースがヒンジにより下方に向けて折曲自在に連結したものであるので、手摺の断面形状が蒲鉾型、円形である場合にその断面形状に沿うように副ベースを取り付けることができるものである。また、前記したとおり前記中央ベースに多数立設した低針状突起は高さの低いものであるあるから、保管、運搬する際に包装箱に梱包する場合に両側副ベースを中央ベースに対して下向きに９０度屈曲させて多数を積み重ねれば、低針状突起は上方にある両側副ベースの間に納まり、また、副ベースに多数立設した高さの高いの高針状突起は倒れて横方向を向いて上下に重ねられ、さらに、副ベースも細長すなわち幅狭いものであるから９０度屈曲させた高さは低いので嵩張らず積み重ねて梱包できるものである。
【００１４】
また、前記中央ベース、両側副ベース、低針状突起及び高針状突起を合成樹脂材により一体に成形して、前記ヒンジは前記中央ベースと両側副ベースの連結箇所を肉薄部により形成することにより安価に製造できるものである。
【００１５】
また、前記両側の副ベースに多数立設した高針状突起の上方に枝状突起を設けることにより鳩等の野鳥の翼に該枝状突起が触れるので止まりずらくなるものである。また、前記両側の副ベースに多数立設した高針状突起の上方に糸挿通用の小孔を設けることにより凧糸、ナイロン糸等を挿通させて掛け渡すことにより鳩等の野鳥の飛来を防止できるものである。
【００１６】
また、前記中央ベースと両側副ベースの水平状態を保持させる保持部を備えたものとすることにより、前記中央ベースと両側副ベースを一体の板状とすることができるので、手摺の断面形状が蒲鉾型、円形である場合にも水平状にも取り付けできるものである。
【００１７】
前記中央ベースに多数立設した低針状突起と前記両側副ベースに多数立設した高針状突起を互い違いになるように配設して、前記中央ベースの各低針状突起の両側から前記両側副ベースの幅方向の中央に亘る抜き孔部を形成して、さらに、前記中央ベースの各低針状突起を立設した各箇所の下面を凹段状に形成すれば、手摺等に凹段状の下面の高さと同一の厚さの基板に前記抜き孔部から張出するフック部を設けた固定部材を取り付けことにより、フック部が抜け孔の孔縁に係止して本発明の野鳥飛来防止装置を取り付けできるものである。
【００１８】
さらには、前記中央ベース又は両側副ベースの長手方向の両端に雄部、雌部として係合する連結部を設けるとともに、両側副ベースの幅方向の外側端部に対称となるように雄部、雌部として係合する連結部を設けることにより、本発明の野鳥飛来防止装置を複数を一列状に、又は二列状に、さらには、面状に連結でき、ベランダの手摺上に全面に亘り取り付けできることは勿論、鉄骨構造物の幅広の梁にも全面に亘り取り付けできるものである。
【図面の簡単な説明】
【００１９】
【図１】本発明の実施形態を示す斜視図。
【図２】本発明の実施形態を示す側面図。
【図３】本発明の実施形態を態様を異にして示す斜視図。
【図４】本発明の実施形態を態様を異にして示す側面図。
【図５】本発明の実施形態を示す縦断側面図。
【図６】本発明の実施形態の保持部の一例を示す図であり、（Ａ）は解除状態の正面図、（Ｂ）は保持状態の正面図、（C）は保持状態の一部切欠き側面図。
【図７】断面四角状手摺への取付状態を示す概略正面図。
【図８】断面蒲鉾形状手摺への取付状態を示す概略正面図。
【図９】断面蒲鉾形状手摺への取付状態の他例を示す概略正面図。
【図１０】断面円形状手摺への取付状態を示す概略正面図。
【図１１】断面円形状手摺への取付状態の他例を示す概略正面図。
【図１２】連結部の１例を示す図であり、（Ａ）は連結前の斜視図、（Ｂ）は連結状態の斜視図。
【図１３】本発明の野鳥飛来防止装置の複数を横方向に連結した状態を示す概略平面図。
【図１４】本発明の野鳥飛来防止装置の複数を縦方向に連結した状態を示す概略平面図。
【図１５】本発明の野鳥飛来防止装置の複数を縦横方向に連結した状態を示す概略平面図。
【図１６】本発明の野鳥飛来防止装置を手摺等に取り付けるため使用する固定部材の１例を示す図であり、（Ａ）は正面図、（Ｂ）は平面図、（Ｃ）は側面図、（Ｄ）は断面図。
【図１７】図１６に示す固定部材により本発明の野鳥飛来防止装置を手摺に取り付け状態を概略正面図。
【図１８】本発明の野鳥飛来防止装置を多数梱包した状態の１例を示す概略図。
【発明を実施するための形態】
【００２０】
次に、本発明の好ましい実施の形態を図面に基づき説明する。
【００２１】
図１-図４において、１は細長の中央ベースであり、該中央ベース１の幅方向の両側には同じく細長の副ベース２、２がヒンジ３により下方に向けて折曲自在に連結してある。そして、前記中央ベース１には高さの低い低針状突起１１が多数立設されており、また、前記両側の副ベースには高さの高い高針状突起２１が多数立設されている。また、前記低針状突起１１は両側の副ベース２を中央ベース１に対して下向きに９０度屈曲させて多数を積み重ねた場合に、図１８に示すように低針状突起１１は上方にある両側副ベース２、２の間に納まるものとされている。
【００２２】
すなわち、図示のものは具体的には、前記中央ベース１は長さ２９０ｍｍ、幅２０ｍｍ、厚さ３、５ｍｍであり、また、両側の副ベース２、２は長さ２９０ｍｍ、幅２１ｍｍ、厚さ３、５ｍｍのものである。そして、前記中央ベース１に多数立設した低針状突起１１は高さを副ベース２の幅２１ｍｍと後記する該副ベース２の外側幅端部から張出した連結部７の雄部７１の差込片７１ａの長さ６ｍｍの合計２７ｍｍより１、５ｍｍ高い２８、５ｍｍなるものとして、図１８に示すように多数を積み重ねた場合に低針状突起１１が上方にある下向きに９０度屈曲させた両側副ベース２、２の間に納まるものとしている。また、前記両側の副ベースに多数立設した高針状突起２１は高さを１３０ｍｍなるものとしたものである。
【００２３】
このように構成されたものは、細長の中央ベース１と副ベース２、２をベランダの手摺等の上に載置して後記する固定部材６や取付金具、取付バンド或いは粘着テープ等で固定して取り付けるものである。そうすれば、前記中央ベース１には低針状突起１１が前記両側の副ベース２には高針状突起１２がそれぞれ多数立設されているので、野鳥は前記低針状突起１１及び高針状突起１２により手摺に止まることができないので、ベランダに侵入することは無いものである。
【００２４】
また、本発明は細長の中央ベース１の幅方向の両側に細長の副ベース２、２がヒンジ３により下方に向けて折曲自在に連結したものであるので、手摺１００の断面形状が図８に示すように蒲鉾型、図１０に示すように円形である場合にその断面形状に沿うように副ベース２、２を取り付けることができるものである。すなわち、細長の中央ベース１、副ベース２、２は幅狭いものであるから蒲鉾型、円形の手摺１００の弧面に沿うことができるものである。また、前記低針状突起１１は両側の副ベース２を中央ベース１に対して下向きに９０度屈曲させて多数を積み重ねた場合に、図１８に示すように低針状突起１１は上方にある両側副ベース２、２の間に納まり、また、副ベース２に多数立設した高さの高い高針状突起１２は倒れて横方向を向いて上下に重ねられるので嵩張らず積み重ねて梱包できるものである
【００２５】
また、前記中央ベース１、両側副ベース２、２、低針状突起１１及び高針状突起１２を合成樹脂材により一体に成形して、前記ヒンジ３は前記中央ベース１と両側の副ベース２、２の連結箇所を肉薄部により形成することとしている。図示の実施形態においては、ヒンジ３を形成する肉薄部は前記中央ベース１の下面１ａと両側副ベース２、２の下面２ａ、２ａの間に形成して両側副ベース２、２が中央ベース１の下方に向けて折曲自在としている。この場合に両側副ベース２、２の内側となる幅端面に中央ベース１の幅端面に当接するストッパ突起２１を設けて該副ベース２、２が中央ベース１と同一面となるようにしてある。
【００２６】
これにより、図３、図４に示すような両側の副ベース２を中央ベース１に対して下向きに９０度屈曲させた状態において成形すれば安価に製造できるものである。また、合成樹脂材としてポリプロピレンがヒンジを形成するうえで好ましいがナイロン等の他の合成樹脂材であってもよい。
【００２７】
また、両側の副ベース２、２に多数立設した高針状突起１２の上方には枝状突起１２１が設けてある。これにより、鳩等の野鳥の翼に該枝状突起１２１が触れるので止まりずらくなるものであり、特に枝状突起１２１を図１―図４に示のように先端を下向にすれば鳩が飛び立つ時に翼を傷つけるのでより効果的である。
【００２８】
また、前記枝状突起１２１は副ベース２の長手方向と平行となるように設けることにより、梱包にも嵩張らず、また、成形も容易となる。
【００２９】
さらに、前記両側の副ベース２、２に多数立設した高針状突起１２の上方に線材挿通用の小孔１２２が設けておけば、凧糸、ナイロン糸等をこの小孔１２２に挿通させて掛け渡すことにより鳩等の野鳥の飛来を防止できるものである。この小孔１２は図示のように枝状突起１２１が設けたものにあっては、該枝状突起１２１の基端に設けてあり、該小孔１２の場所が判り易いものとしている。
【００３０】
また、前記中央ベース１と両側副ベース２、２の水平状態を保持させる図６に示す保持部４が備えられている。この保持部４は図１、図３に示すように前記中央ベース１の長手方向の端部の両側に前記両側副ベース２、２に対応させたフック４１、４１を立設して、該フック４１、４１に両側副ベース２、２の上面２ｂの内側端部に立設した係止突起４２、４２からなるものである。この保持部４は両側副ベース２、２が中央ベース１と水平状態となるときに強制的に係合するものである。これにより、手摺の断面形状が蒲鉾型、円形である場合にも図９及び図１１に示すように水平状にも取り付けできるものである。
【００３１】
また、前記中央ベース１に多数立設した低針状突起１１と前記両側副ベース２、２に多数立設した高針状突起１２、１２を互い違いになるように配設して、前記中央ベース１の各低針状突起１１を立設した箇所の両側から前記両側副ベース２、２の幅方向の中央に亘る抜き孔部５を形成して、さらに、前記中央ベース１の各低針状突起１１を立設した各箇所の下面を凹段状に形成している。
【００３２】
これにより、図１６、図１７に示す凹段状の下面の高さと同一の厚さの基板６１に前記抜き孔部５から張出するフック部６２、６２を設けた固定部材６を手摺等に取り付けことにより、前記フック部６２、６２が抜け孔５の孔縁５１、５１に係止して本発明の野鳥飛来防止装置を取り付けできるものである。
【００３３】
また、前記中央ベース１又は両側副ベース２、２の両端に雄部７１、雌部７２として係合する連結部７を設けるとともに、両側副ベース２、２の外側端部に対称となるように雄部７１、雌部７２として係合する連結部７を設けている。
【００３４】
前記連結部７は図１２に示すように、中央ベース１の長手方向の端部又は副ベース２，２の外側端部から張設した薄板状の差込片７１ａ上に係止突起７１ｂを立設した雄部７１と、この雄部と対応する箇所の中央ベース１の端部又は副ベース２、２の外側端部に前記差込片７１ａが係合する係合凹部７２ａを設けるとともに該係合凹部７２ａに前記係止突起７１ｂが嵌合する嵌合凹部７２ｂを設けた雌部７２とよりなるものである。
【００３５】
前記のような連結部７を設けることにより、図１３−図１５に示すように本発明の野鳥飛来防止装置を複数を一列状に、又は二列状に、さらには、面状に連結でき、ベランダの手摺上に全面に亘り取り付けできることは勿論、鉄骨構造物の広幅な梁にも全面に亘り取り付けできるものである。
【符号の説明】
【００３６】
１   中央ベース
２   副ベース
３   ヒンジ
４   保持部
５   抜き孔部
７   連結部
11   低針状突起
12   高針状突起
121  枝状突起
122  小孔
【図１】
0005147902.tif 000002
【図２】
0005147902.tif 000003
【図３】
0005147902.tif 000004
【図４】
0005147902.tif 000005
【図５】
0005147902.tif 000006
【図６】
0005147902.tif 000007
【図７】
0005147902.tif 000008
【図８】
0005147902.tif 000009
【図９】
0005147902.tif 000010
【図１０】
0005147902.tif 000011
【図１１】
0005147902.tif 000012
【図１２】
0005147902.tif 000013
【図１３】
0005147902.tif 000014
【図１４】
0005147902.tif 000015
【図１５】
0005147902.tif 000016
【図１６】
0005147902.tif 000017
【図１７】
0005147902.tif 000018
【図１８】
0005147902.tif 000019